(57)【特許請求の範囲】
【請求項１】
ランプ電極に電源を印加する導電性材質の電源印加部材と、
前記電源印加部材を収納するハウジングと、を備え、
前記電源印加部材は、
インバータ接続部と、
前記インバータ接続部と連結され、前記ランプ電極が挿入されるランプ電極挿入部が形成された第１ランプ電極支持部と、
前記第１ランプ電極支持部に連結された固定端、前記ランプ電極挿入部に密着するように前記ランプ電極を支持する自由端、及び前記ハウジングの内側で該固定端と自由端とを連結する連結端が形成された電極部と、を含むことを特徴とするランプソケット。
【請求項２】
前記自由端の最高点は、前記固定端の最高点以内に位置するように形成されることを特徴とする請求項１に記載のランプソケット。
【請求項３】
前記連結端は、前記ハウジングの内側に湾曲されて前記固定端と自由端とを連結することを特徴とする請求項２に記載のランプソケット。
【請求項４】
前記ランプ電極挿入部は、
前記ランプ電極の挿入時に前記ランプ電極を案内する挿入ガイドと、
前記挿入ガイドに連結され、前記ランプ電極の直径に対応するように曲面状に形成された固定溝と、
前記固定溝と連結されて前記ランプ電極を支持し、傾斜して形成された傾斜部と、を有することを特徴とする請求項２に記載のランプソケット。
【請求項５】
前記電極部は、前記自由端の先端に形成されて該自由端と前記挿入ガイドとの間隔を調節する間隔調節部を更に含むことを特徴とする請求項４に記載のランプソケット。
【請求項６】
前記自由端は、前記ランプ電極を囲みながら接触するランプグリップ部を含むことを特徴とする請求項１に記載のランプソケット。
【請求項７】
前記電源印加部材は、前記第１ランプ電極支持部と離隔し、ランプ電極挿入部が形成された第２ランプ電極支持部を更に含むことを特徴とする請求項１に記載のランプソケット。
【請求項８】
画像を表示する表示パネルと、
前記表示パネルに光を供給するランプ及び該ランプが固定設置されてランプ電極に電源を印加するランプソケットを含むバックライトアセンブリと、
前記バックライトアセンブリを収納するシャーシと、を備え、
前記ランプソケットは、
電源印加部材と、
前記電源印加部材を収納するハウジングと、を含み、
前記電源印加部材は、
インバータ接続部と、
前記インバータ接続部に連結され、前記ランプ電極が挿入されるランプ電極挿入部が形成された第１ランプ電極支持部と、
前記第１ランプ電極支持部に連結された固定端、前記ランプ電極挿入部に密着するように前記ランプ電極を支持する自由端、及び前記ハウジングの内側で該固定端と自由端とを連結する連結端が形成された電極部と、を含むことを特徴とする表示装置。
【請求項９】
前記自由端の最高点は、前記固定端の最高点以内に位置するように形成されることを特徴とする請求項８に記載の表示装置。
【請求項１０】
前記連結端は、前記ハウジングの内側に湾曲されて前記固定端と自由端とを連結することを特徴とする請求項９に記載の表示装置。
【請求項１１】
前記ランプ電極挿入部は、
前記ランプ電極の挿入時に前記ランプ電極を案内する挿入ガイドと、
前記挿入ガイドに連結され、前記ランプ電極の直径に対応するように曲面状に形成された固定溝と、
前記固定溝と連結されて前記ランプ電極を支持し、傾斜して形成された傾斜部と、を有することを特徴とする請求項９に記載の表示装置。
【請求項１２】
前記電極部は、前記自由端の先端に形成されて該自由端と前記挿入ガイドとの間隔を調節する間隔調節部を更に含むことを特徴とする請求項１１に記載の表示装置。
【請求項１３】
前記自由端は、前記ランプ電極を囲みながら接触するランプグリップ部を含むことを特徴とする請求項８に記載の表示装置。
【請求項１４】
前記電源印加部材は、前記第１ランプ電極支持部と離隔し、ランプ電極挿入部が形成された第２ランプ電極支持部を更に含むことを特徴とする請求項８に記載の表示装置。
【請求項１５】
前記シャーシは、前記ランプソケットが締結される締結溝を有することを特徴とする請求項８に記載の表示装置。
【請求項１６】
ランプ及びランプソケットの組立自動化のための組立方法であって、
外部にランプ電極が形成されたランプと、ハウジング及び該ハウジングに収納されてインバータ接続部とランプ電極挿入部が形成されたランプ電極支持部と固定端、自由端及び連結端が形成された電極部とを含む電源印加部材で構成されたランプソケットと、を用意するステップと、
前記電極部と前記ランプ電極挿入部との間隔を拡張するために該電極部を移動させるステップと、
前記ランプ電極挿入部に前記ランプ電極を挿入し、前記電極部を弾性移動させて前記ランプ電極に接触させるステップと、を有することを特徴とするランプ組立方法。
【請求項１７】
前記電極部は、前記自由端の最高点が前記固定端の最高点以内に位置するように形成されることを特徴とする請求項１６に記載のランプ組立方法。
【請求項１８】
前記電極部は、前記自由端の先端に間隔調節部を更に含むように形成されることを特徴とする請求項１７に記載のランプ組立方法。
【請求項１９】
前記間隔調節部をジグなどで移動させた後に固定して前記自由端と前記ランプ電極挿入部との間隔を拡張することを特徴とする請求項１８に記載のランプ組立方法。
【請求項２０】
前記自由端は、前記連結端の弾性で前記ランプ電極に接触して支持することを特徴とする請求項１７に記載のランプ組立方法。
【発明の詳細な説明】
【技術分野】
【０００１】
本発明は、ランプソケットとこれを含む表示装置、及びランプ組立方法に関し、より詳細には、厚さの薄いランプソケットとこれを含む表示装置、及びランプ組立方法に関する。
【背景技術】
【０００２】
現代社会では、情報を表示するための表示装置の重要性が高まっている。それで、最近では様々な形態の表示装置が開発されて多方面に亘り広く用いられている。
【０００３】
表示装置には、様々な種類のものを用いることができるが、電子機器の特性上、平板形状を有する平板表示装置（Ｆｌａｔ  Ｐａｎｅｌ  Ｄｉｓｐｌａｙ）が主に用いられる。代表的な平板表示装置である液晶表示装置（ＬＣＤ：Ｌｉｑｕｉｄ  Ｃｒｙｓｔａｌ  Ｄｉｓｐｌａｙ）は、液晶の電気的及び光学的特性を利用して映像を表示する。液晶表示装置は、他の表示装置に比べて薄くて軽い上、低い消費電力及び駆動電圧で作動する長所を有するので産業の全般にわたって広く用いられている。
【０００４】
液晶表示装置は、画像を表示する液晶表示パネル、液晶表示パネルを駆動するための駆動回路部、液晶表示パネルに光を提供するバックライトユニットを含む。
【０００５】
従来の直下型バックライトユニットは、ランプを固定するためにランプリード線にワイヤをはんだ付けしてランプソケットに結合した後、コネクタを用いてインバータに接続させた。このような直下型バックライトユニットを組立てるためには、一々手作業によってランプリード線とワイヤとをはんだ付けしてランプソケットに締結した後にコネクタを締結する煩わしさがあった。直下型バックライトユニットを上述のように手作業で組み立てると、直下型バックライトユニットの品質は、作業者の熟練度によって決定され、また、人件費の増加による製造費用の増加を発生させる。
【発明の概要】
【発明が解決しようとする課題】
【０００６】
そこで、本発明は、上記従来の問題点に鑑みてなされたものであって、本発明の目的は、厚さが薄くて組立性が優秀なランプソケットとこれを含む表示装置、及びランプ組立方法を提供することにある。
【課題を解決するための手段】
【０００７】
上記目的を達成するためになされた本発明の一特徴によるランプソケットは、ランプ電極に電源を印加する導電性材質の電源印加部材と、前記電源印加部材を収納するハウジングと、を備え、前記電源印加部材は、インバータ接続部と、前記インバータ接続部と連結され、前記ランプ電極が挿入されるランプ電極挿入部が形成された第１ランプ電極支持部と、前記第１ランプ電極支持部に連結された固定端、前記ランプ電極挿入部に密着するように前記ランプ電極を支持する自由端、及び前記ハウジングの内側で該固定端と自由端とを連結する連結端が形成された電極部と、を含む。
前記自由端の最高点は、前記固定端の最高点以内に位置するように形成され得る。
前記連結端は、前記ハウジングの内側に湾曲されて前記固定端と自由端とを連結することができる。
前記ランプ電極挿入部は、前記ランプ電極の挿入時に前記ランプ電極を案内する挿入ガイドと、前記ランプ電極の直径に対応するように曲面状に形成された固定溝と、前記固定溝と連結されて前記ランプ電極を支持し、傾斜して形成された傾斜部と、を有することができる。この時、前記電極部は、前記自由端の先端に形成されて該自由端と前記挿入ガイドとの間隔を調節する間隔調節部を更に含むことができる。
前記自由端は、前記ランプ電極を囲みながら接触するランプグリップ部を含むことができる。
前記電源印加部材は、前記第１ランプ電極支持部と離隔してランプ電極挿入部が形成された第２ランプ電極支持部を更に含むことができる。
【０００８】
上記目的を達成するためになされた本発明の一特徴による表示装置は、表示パネル、バックライトアセンブリ、及びシャーシを備える。前記バックライトアセンブリは、前記表示パネルに光を供給するランプとランプ電極に電源を供給するランプソケットとを含む。前記ランプは、前記ランプソケットに固定される。前記シャーシは、前記バックライトアセンブリを収納する。前記ランプソケットは、電源印加部材と前記電源印加部材を収納するハウジングとを含む。前記電源印加部材は、インバータ接続部、第１ランプ電極支持部、及び電極部を含む。前記第１ランプ電極支持部は、前記インバータ接続部に連結され、前記ランプ電極が挿入されるランプ電極挿入部が形成される。前記電極部は、前記第１ランプ電極支持部に連結された固定端、前記ランプ電極挿入部に密着するように前記ランプ電極を支持する自由端、及び前記ハウジングの内側で該固定端と自由端とを連結する連結端、を含む。
前記自由端の最高点は、前記固定端の最高点以内に位置するように形成され得る。
前記連結端は、前記ハウジングの内側に湾曲されて前記固定端と自由端とを連結することができる。
前記ランプ電極挿入部は、前記ランプ電極の挿入時に前記ランプ電極を案内する挿入ガイドと、前記ランプ電極の直径に対応するように曲面状に形成された固定溝と、前記固定溝と連結されて前記ランプ電極を支持し、傾斜して形成された傾斜部と、を有することができる。ここで、前記電極部は、前記自由端の先端に形成されて該自由端と前記挿入ガイドとの間隔を調節する間隔調節部を更に含むことができる。
前記自由端は、前記ランプ電極を囲みながら接触するランプグリップ部を含むことができる。
前記電源印加部材は、前記第１ランプ電極支持部と対向配置され、ランプ電極挿入部が形成された第２ランプ電極支持部を更に含むことができる。
前記シャーシは、前記ランプソケットが締結される締結溝を有することができる。
【０００９】
上記目的を達成するためになされた本発明の一特徴によるランプ組立方法は、ランプ及びランプソケットの組立自動化のための組立方法であって、先ず第１ステップとして、ランプ電極を含むランプと、ハウジングと電源印加部材とを含むランプソケットと、を用意する。前記電源印加部材は、インバータ接続部と、ランプ電極挿入部が形成されたランプ電極支持部と、固定端、自由端、及び連結端からなる電極部と、を含む。次に第２ステップとして、前記電極部を移動させて該電極部と前記ランプ電極挿入部との間の間隔を拡張する。その後第３ステップとして、前記ランプ電極挿入部に前記ランプ電極を挿入し、前記電極部を弾性移動させて該電極部を前記ランプ電極に接触させる。
前記第１ステップで前記電極部は、前記自由端の最高点が前記固定端の最高点以内に位置するように形成され得る。
前記第１ステップで前記電極部は、前記自由端の先端に間隔調節部を更に含むように形成され得る。
前記第２ステップで、前記間隔調節部をジグなどで移動させた後に固定して前記自由端と前記ランプ電極挿入部との間隔を拡張することができる。
前記第３ステップで、前記自由端は、前記連結端の弾性で前記ランプ電極に接触して支持することができる。
【発明の効果】
【００１０】
本発明によるランプソケットとこれを含む表示装置によれば、ランプソケットの厚さが薄く形成されて表示装置の厚さを薄く製造することができ、電極の突出部位が無いので外力による物理的及び電気的損傷を防止することができる。
そして、本発明によるランプ組立方法によれば、ランプの挿入時にも組立装置などによって電極の曲率部分が損傷されない構造安全性を確保することができる。また、ランプ電極の固定及び移動が円滑で組立の安全性及び便利性を向上させることができる。
【図面の簡単な説明】
【００１１】
【図１】本発明の一実施形態による表示装置を示す分解斜視図である。
【図２】図１に示す指示線Ｉ−Ｉ′に沿って切断した断面を示す断面図である。
【図３】本発明の一実施形態によるランプソケットを示す斜視図である。
【図４】図３に示すランプソケットを説明するための断面図である。
【図５】図３に示す電源印加部材を説明するための断面図である。
【図６】図３に示す電源印加部材を説明するためにランプ及びランプ電極を共に示す斜視図である。
【図７】本発明の一実施形態によるランプ組立方法を示すフローチャートである。
【発明を実施するための形態】
【００１２】
以下、本発明によるランプソケットとこれを含む表示装置、及びランプ組立方法を実施するための形態を、図面を参照しながら詳細に説明する。図面では多数の層及び領域を明確に表現するために厚さを拡大して示した。そして明細書全体に亘って類似な部分に対しては同一の図面符号を付けた。
【００１３】
図１は、本発明の一実施形態による表示装置を示す分解斜視図であり、図２は、図１に示す指示線Ｉ−Ｉ′に沿って切断した断面を示す断面図である。
【００１４】
図１及び図２を参照すると、本発明の一実施形態による表示装置は、表示パネル１００、パネル駆動部２００、バックライトアセンブリ３００、トップシャーシ４００及びボトムシャーシ５００を含む。
【００１５】
表示パネル１００は、外部から光の提供を受けて画像を表示する。このために、表示パネル１００は、第１基板１１０、第２基板１２０、及び光透過量を調節するように第１基板１１０と第２基板１２０との間に介在する液晶（図示せず）を含む。
【００１６】
第１基板１１０は、絶縁基板上に形成されたブラックマトリックス（図示せず）、カラーフィルタ（図示せず）及び共通電極（図示せず）を含む。
【００１７】
第２基板１２０は、絶縁基板上にマトリックス状に形成された複数のゲート及びデータライン（図示せず）と、これらの交差部に形成された薄膜トランジスタ（図示せず）と、薄膜トランジスタに連結される画素電極（図示せず）と、を含む。
【００１８】
パネル駆動部２００は、画像を表示する表示パネル１００を駆動させる。このために、パネル駆動部２００は、信号送信基板２２０に実装される駆動集積回路２１０と、信号送信基板２２０を介して表示パネル１００に電源及び各種信号を供給する駆動回路基板２３０と、を含む。
【００１９】
バックライトアセンブリ３００は、表示パネル１００の下部に位置して表示パネル１００に光を供給する。このために、バックライトアセンブリ３００は、ランプ３１０、ランプソケット３１５、反射部材３６５、光学シート３７０、モールドフレーム３８０及びサイドモールド３９０を含む。
【００２０】
ランプ３１０は、表示パネル１００に供給するための光を生成する。ランプ３１０は、例えば、冷陰極蛍光ランプ（ＣＣＦＬ：Ｃｏｌｄ  Ｃａｔｈｏｄｅ  Ｆｌｕｏｒｅｓｃｅｎｔ  Ｌａｍｐ）又は外部電極蛍光ランプ（ＥＥＦＬ：Ｅｘｔｅｒｎａｌ  Ｅｌｅｃｔｒｏｄｅ  Ｆｌｕｏｒｅｓｃｅｎｔ  Ｌａｍｐ）で形成されてランプソケット３１５に締結される。このようなランプ３１０は、外部電源の供給を受けるためにランプ３１０の外部に形成されたランプ電極３１１（図４、６参照）を含むことができる。
【００２１】
ランプソケット３１５は、ランプ３１０の先端に配置されてランプ３１０を固定し、ランプ３１０に電源を印加する。そしてランプソケット３１５は、連結部３６０によって互いに連結されて形成される。ここで、ランプソケット３１５に対する詳細な説明は図３〜図６を参照して後述する。
【００２２】
反射部材３６５は、ランプ３１０の下部に形成され、ランプ３１０の下側に放出される光をランプ３１０の上側に反射させて光損失を減少させる。このために、反射部材３６５は光反射率の高いプレートやシートで形成される。
【００２３】
光学シート３７０は、拡散シート３７１、プリズムシート３７２及び保護シート３７３などから構成される。拡散シート３７１は、ランプ３１０から放出される光が表示パネル１００にまんべんなく入射するように拡散させる。プリズムシート３７２は、拡散シート３７１によって拡散した光が表示パネル１００に垂直に入射するように集光させる。保護シート３７３は、プリズムシート３７２にスクラッチのような損傷が発生しないようにプリズムシート３７２を保護する。このような光学シート３７０は表示装置の特性によって２〜３枚を選択的に用いることができる。
【００２４】
モールドフレーム３８０は、表示パネル１００を収納し、表示パネル１００、ランプ３１０、ランプソケット３１５、反射部材３６５及び光学シート３７０を外部の衝撃から保護する。このために、モールドフレーム３８０はプラスチックのようなモールド材で形成される。
【００２５】
サイドモールド３９０には、ランプ３１０を囲むランプ溝３９５が形成されてランプ３１０を固定させる。そしてサイドモールド３９０は、所定の高さに形成されて光学シート３７０を支持し、ランプ３１０と光学シート３７０とを一定間隔に離隔させる。ここで、サイドモールド３９０には、光学シート３７０を収納する端顎部を形成することもできる。
【００２６】
トップシャーシ４００は、表示パネル１００の上部に配置され、表示パネル１００とバックライトアセンブリ３００とを外部の衝撃から保護する。トップシャーシ４００は、表示パネル１００の表示領域が露出するように中が開口されて表示パネル１００の外郭周縁部を囲む。
【００２７】
ボトムシャーシ５００は、バックライトアセンブリ３００の下部に配置されてバックライトアセンブリ３００を収納する。ボトムシャーシ５００には、一側にランプソケット３１５が挿入されるように開口された締結溝５１０が形成される。締結溝５１０はランプソケット３１５に対応する個数で形成される。
【００２８】
一方、本実施形態による表示装置は、ランプ３１０に電源を供給するためのインバータ６００と、インバータ６００とランプソケット３１５とを保護する保護カバー６１０と、を更に含む。インバータ６００は、ボトムシャーシ５００の背面に実装され、ランプソケット３１５に接続されて電源を供給する。保護カバー６１０は、ボトムシャーシ５００の背面に締結され、ランプソケット３１５に接続されたインバータ６００を外部の衝撃から保護する。例えば、保護カバー６１０は、プラスチック材質で形成されてインバータ６００を電気的及び物理的に保護することができる。
【００２９】
以下、図３〜図６を参照して本発明の一実施形態によるランプソケットを詳しく説明する。
【００３０】
図３は、本発明の一実施形態によるランプソケットを示す斜視図であり、図４は、図３に示すランプソケットを説明するための断面図である。図５は、図３に示す電源印加部材を説明するための断面図であり、図６は、図３に示す電源印加部材を説明するためにランプ及びランプ電極を共に示す斜視図である。
【００３１】
図３〜図６を参照すると、本発明の一実施形態によるランプソケット３１５はハウジング３１６と電源印加部材３２０とを含む。
【００３２】
ハウジング３１６は、電源印加部材３２０を収納してボトムシャーシの締結溝に締結されるように形成される。このために、ハウジング３１６は電源印加部材３２０が収納される収納部３１７を含む。
【００３３】
電源印加部材３２０は、導電性材質で形成されてインバータとランプ３１０とを電気的に接続する。このために電源印加部材３２０は、インバータ接続部３２１、第１及び第２ランプ電極支持部３２２、３２３及び電極部３４０を含む。
【００３４】
インバータ接続部３２１は、収納部３１７に沿ってインバータに向かい延長されて形成される。インバータ接続部３２１は収納部３１７に沿って多段に形成され、一部分が重畳されて曲面状に形成される。そしてインバータ接続部３２１には一部領域にホールを形成することもできる。このようなインバータ接続部３２１は、重畳された一部分が弾性を有するのでインバータとの接触時にインバータの損傷を防止することができる。
【００３５】
第１ランプ電極支持部３２２はインバータ接続部３２１と連結されて収納部３１７に収納されるように垂直に配置される。そして第１ランプ電極支持部３２２には、ランプ電極３１１が挿入されるランプ電極挿入部３２４が形成される。
【００３６】
ランプ電極挿入部３２４は、第１ランプ電極支持部３２２の一側に形成され、挿入ガイド３２５、固定溝３２６、傾斜部３２７、第１及び第２補助部３２８、３２９に区分される。挿入ガイド３２５は、第１ランプ電極支持部３２２の上側からランプ電極３１１が容易に挿入され、容易に離脱するように傾斜して形成される。固定溝３２６は挿入ガイド３２５と連結されてランプ電極３１１の直径に対応するように形成される。ここで、固定溝３２６は、挿入ガイド３２５と共にランプ電極３１１の離脱を防止する抜け止めの役目をする。傾斜部３２７は、固定溝３２６と連結され、挿入されたランプ電極３１１が固定溝３２６に密着するようにランプ電極３１１の移動経路を提供する。そして傾斜部３２７は、ランプ電極３１１が固定溝３２６から容易に分離されるように傾斜して形成される。第１補助部３２８は水平に形成されて傾斜部３２７と連結される。第１補助部３２８は、ランプ電極３１１をランプ電極挿入部３２４から分離する際に余裕空間を提供してランプ電極３１１の分離を容易にする。第２補助部３２９は、第１補助部３２８から垂直に延長されて挿入ガイド３２５と共にランプ電極３１１が挿入される挿入口を形成する。
【００３７】
第２ランプ電極支持部３２３は、第１ランプ電極支持部３２２に対向するように配置される。図６に示すように、電極部３４０は、第１ランプ電極支持部３２２と第２ランプ電極支持部３２３との間に介在することができ、実質的に第１ランプ電極支持部３２２と同一の形状で形成される。そして第２ランプ電極支持部３２３は、第１ランプ電極支持部３２２と同一のランプ電極挿入部３２４が形成される。第２ランプ電極支持部３２３についての詳しい説明は省略する。
【００３８】
電極部３４０は、第１及び第２ランプ電極支持部３２２、３２３の間に位置して第１及び第２ランプ電極支持部３２２、３２３を連結する。電極部３４０は、ハウジング３１６の内側に湾曲されて形成され、弾性によってランプ電極３１１を支持して固定溝３２６に密着させる。電極部３４０は、第１及び第２ランプ電極支持部３２２、３２３によって保護されて外力による損傷を防止し、組立の安全性及び利便性が高い利点を有する。
【００３９】
電極部３４０は、ランプ電極３１１に対する接触圧力である接圧力が１〜５Ｎを有するように形成される。ここで、電極部３４０が１Ｎ未満の接圧力を有する場合には、ランプ電極３１１に接触する力が不足して電源が円滑に供給されないおそれがある。そして電極部３４０が５Ｎ超過の接圧力を有する場合には、ランプ電極３１１の挿入時に強い力を要して作業能率が低下する。
【００４０】
電極部３４０は、固定端３４１、連結端３４２及び自由端３４３に区分される。
【００４１】
固定端３４１は、第１及び第２ランプ電極支持部３２２、３２３の間でこれらを連結しながら固定されて形成される。
【００４２】
連結端３４２は、固定端３４１と連結され、ハウジング３１６の内側に湾曲されて弾性力を発生させる。連結端３４２は、第１及び第２ランプ電極支持部３２２、３２３の線端を離脱しないように形成される。このような連結端３４２は、第１及び第２ランプ電極支持部３２２、３２３によって保護される。ここで、連結端３４２は、１〜５Ｎの接圧力を有することができる曲率半径で形成される。例えば、連結端３４２は０．３〜１．０ｍｍの曲率半径で形成される。
【００４３】
自由端３４３は、連結端３４２に連結されてランプ電極３１１と接触し、外力によって損傷されないように形成される。例えば、自由端３４３は、最高点Ｈ１が固定端３４１の最高点Ｈ２以内に位置するように形成される。自由端３４３は、図５に示すように左右移動を考慮した最高点Ｈ１が固定端３４１の最高点Ｈ２より低い位置に形成され得る。
【００４４】
自由端３４３は、ランプ電極３１１を支持してランプ電極挿入部３２４と共にランプ電極３１１を固定させる。自由端３４３は、ランプ電極３１１に接触する部分に形成されたランプグリップ部３４４を含む。ランプグリップ部３４４は、例えば、溝形状に固定溝３２６に対応してランプ電極３１１の一部分を囲むように形成される。自由端３４３は、ランプ電極３１１が固定溝３２６に密着するようにランプ電極３１１を効果的に支持する。
【００４５】
自由端３４３は、ランプグリップ部３４４と連結される間隔調節部３４５を更に含む。間隔調節部３４５は自由端３４３の先端に折り曲げられて形成される。そして間隔調節部３４５は、構造安全性のために固定端３４１の最高点Ｈ２以内に位置して形成され得る。
【００４６】
間隔調節部３４５は、外部の力によって移動し、自由端３４３と挿入ガイド３２５との間の間隔を調節する。例えば、間隔調節部３４５は、外部の力によって左側に移動して自由端３４３のランプグリップ部３４４を左側に移動させる。これによって間隔調節部３４５は、挿入ガイド３２５とランプグリップ部３４４との間の空間を拡張させてランプ電極３１１の挿入と分離を容易にする。そして間隔調節部３４５は、組立方法を考慮すると組立自動化の容易性を確保することができる。
【００４７】
一方、本実施形態によるランプソケット３１５は、薄形の表示装置に使用されるように上端がランプ３１０の上端より低く形成され得る。
【００４８】
以下、図７を参照して本発明の一実施形態によるランプ組立方法を説明する。
【００４９】
図７は、本発明の一実施形態によるランプ組立方法を示すフローチャートである。
【００５０】
図７を参照すると、本発明の一実施形態によるランプ組立方法は、外部にランプとランプソケットを用意する第１ステップＳ１１、電極部とランプ電極挿入部との間隔を拡張させる第２ステップＳ２１、及びランプ電極を挿入する第３ステップＳ３１を含む。
【００５１】
第１ステップＳ１１で、外部にランプ電極が形成されたランプと、ランプに電源を供給するランプソケットと、を用意する。ランプソケットは、ハウジングとハウジングに収納される電源印加部材とを含むことができる。導電性の板状部材を加工した電源印加部材は、インバータ接続部と、ランプ電極挿入部が形成されたランプ電極支持部と、固定端、自由端、連結端、及び間隔調節部を具備する電極部と、を含むことができる。そしてランプ電極挿入部として、ランプ電極支持部の一側に形成された溝を用意することができる。ここで、ランプ電極挿入部は、既設定の角度で傾斜する挿入ガイドと、挿入ガイドと連結されてランプ電極の直径に対応するように半円形状を有する固定溝と、固定溝に連結される傾斜部と、を含むことができる。
【００５２】
第２ステップＳ２１で、電極部の間隔調節部を移動することによって電極部の自由端を移動させ、ランプ電極が挿入されるランプ電極挿入部と自由端との間の間隔を拡張させる。電極部の間隔調節部を組立装置の第１ジグに移動させる。この時、間隔調節部を固定端側に移動させて自由端をランプ電極挿入部から離れるようにする。そして、第１ジグで間隔調節部を固定して自由端とランプ電極挿入部との間隔を維持させる。
【００５３】
第３ステップＳ３１で、ランプ電極挿入部にランプ電極を挿入し、ランプ電極に電源印加部材を接触させる。組立装置の第２ジグがランプを取ってランプ電極がランプ電極挿入部に位置するように移動させる。ランプ電極挿入部の挿入ガイドに沿ってランプ電極が挿入されるように第２ジグでランプを移動させた後に第２ジグをランプから分離する。そして間隔調節部の第１ジグを除去して自由端を連結端の弾性でランプ電極に接触させる。この時、ランプ電極が傾斜部に沿って固定溝に密着するように自由端を接触させる。
【００５４】
以上、本発明を実施するための形態について説明したが、本発明は、上述の実施形態に限定されるものではなく、本発明の技術的範囲から逸脱しない範囲内で多様に変更実施することが可能である。
【符号の説明】
【００５５】
１００    表示パネル
１１０    第１基板
１２０    第２基板
２００    パネル駆動部
２１０    駆動集積回路
２２０    信号送信基板
２３０    駆動回路基板
３００    バックライトアセンブリ
３１０    ランプ
３１１    ランプ電極
３１５    ランプソケット
３１６    ハウジング
３１７    収納部
３２０    電源印加部材
３２１    インバータ接続部
３２２    第１ランプ電極支持部
３２３    第２ランプ電極支持部
３２４    ランプ電極挿入部
３２５    挿入ガイド
３２６    固定溝
３２７    傾斜部
３２８    第１補助部
３２９    第２補助部
３４０    電極部
３４１    固定端
３４２    連結端
３４３    自由端
３４４    ランプグリップ部
３４５    間隔調節部
３６０    連結部
３６５    反射部材
３７０    光学シート
３７１    拡散シート
３７２    プリズムシート
３７３    保護シート
３８０    モールドフレーム
３９０    サイドモールド
３９５    ランプ溝
４００    トップシャーシ
５００    ボトムシャーシ
５１０    締結溝
６００    インバータ
６１０    保護カバー
【図１】
0005268067.tif 000002
【図２】
0005268067.tif 000003
【図３】
0005268067.tif 000004
【図４】
0005268067.tif 000005
【図５】
0005268067.tif 000006
【図６】
0005268067.tif 000007
【図７】
0005268067.tif 000008